(57)【要約】【課題】電線に皺ができたり外装品が正規の位置からずれることなく配索することができるワイヤハーネスを提供する。【解決手段】ワイヤハーネス１は一本の第１電線２と第１電線２に取り付けられた配線用クリップ４と一本の第２電線３と第２電線３に外装された筒状のハーネス用チューブ５と配線用クリップ４とハーネス用チューブ５との外周に巻き付けられてこれらの配線用クリップ４とハーネス用チューブ５とを固定するテープ７を備えている。テープ７は第２電線３と配線用クリップ４とハーネス用チューブ５とを固定していない。【選択図】図１
2007259654.tif 000002
【特許請求の範囲】
【請求項１】
少なくとも一本の第１電線と、
前記第１電線に取り付けられた外装品と、
少なくとも一本の第２電線と、
前記第２電線に外装された筒状の保護部材とを備えたワイヤハーネスにおいて、
前記外装品と前記保護部材との外周に巻き付けられて、これらの前記外装品と前記保護部材とを固定する固定部材を備えたことを特徴とするワイヤハーネス。
【請求項２】
前記固定部材が、テープであることを特徴とする請求項１記載のワイヤハーネス。
【請求項３】
前記第１電線と前記第２電線とのうち少なくとも一方が、電子機器に電力を供給するための電線であることを特徴とする請求項１又は請求項２記載のワイヤハーネス。
【発明の詳細な説明】
【技術分野】
【０００１】
本発明は、移動体としての自動車などに配索されるワイヤハーネスに関する。
【背景技術】
【０００２】
移動体としての自動車には、一般に、ヘッドランプ及びテールランプなどのランプ類、スタータモータ及びエアコンディショナ用のモータ等のモータ類、などの多種多様な電子機器が搭載されている。
【０００３】
前述した多種多様な電子機器に電力を供給するために、前記自動車は、ワイヤハーネスを配索している。ワイヤハーネスは、複数の電線と、該電線の端末に取り付けられたコネクタと、外装品としての配線用クリップと、円筒状に形成された保護部材としてのハーネス用チューブとを備えている。配線用クリップは、電線のうちの少なくとも一部の電線に取り付けられて、該電線を自動車の車体を構成するパネル等に固定する。ハーネス用チューブは、円筒状に形成されて、電線のうちの少なくとも一部の電線を収容して、該電線を保護する。
【０００４】
前述したワイヤハーネスは、一部の電線を配線用クリップに固定し、一部の電線をハーネス用チューブ内に収容して、これらの電線と配線用クリップとハーネス用チューブとの外周にテープを巻き付けるなどして組み立てられる。
【発明の開示】
【発明が解決しようとする課題】
【０００５】
しかしながら、前述したワイヤハーネスは、前述したテープなどで電線と配線用クリップとハーネス用チューブとを固定しているために、組立時の電線と自動車への配索時の電線との曲げ具合が互いに異なる場合（特に、組立時に直線状の電線を、配索時に約１８０度曲げる場合）に、電線に皺などが生じてうまく配索することができない、特に、各種の電子機器に電力を供給する電線を備えたワイヤハーネスでは、当該電線が信号を供給する電線よりも太いので、うまく曲げることができない。又、テープが配線用クリップやハーネス用チューブなどから剥がれて、外装品としての配線用クリップなどが正規の位置からずれることがあった。
【０００６】
したがって、本発明の目的は、電線に皺ができたり外装品が正規の位置からずれることなく配索することができるワイヤハーネスを提供することにある。
【課題を解決するための手段】
【０００７】
前記課題を解決し目的を達成するために、請求項１に記載の本発明のワイヤハーネスは、少なくとも一本の第１電線と、前記第１電線に取り付けられた外装品と、少なくとも一本の第２電線と、前記第２電線に外装された筒状の保護部材とを備えたワイヤハーネスにおいて、前記外装品と前記保護部材との外周に巻き付けられて、これらの前記外装品と前記保護部材とを固定する固定部材を備えたことを特徴としている。
【０００８】
請求項２に記載の本発明のワイヤハーネスは、請求項１記載のワイヤハーネスにおいて、前記固定部材が、テープであることを特徴としている。
【０００９】
請求項３に記載の本発明のワイヤハーネスは、請求項１又は請求項２記載のワイヤハーネスにおいて、前記第１電線と前記第２電線とのうち少なくとも一方が、電子機器に電力を供給するための電線であることを特徴としている。
【００１０】
請求項１に記載した本発明のワイヤハーネスによれば、固定部材が外装品と保護部材とを固定しているので、配索時に電線を曲げても、該電線と保護部材とが相対的に移動する。
【００１１】
請求項２に記載した本発明のワイヤハーネスによれば、固定部材がテープであるので、該固定部材が外装品と保護部材とを確実に固定できる。
【００１２】
請求項３に記載した本発明のワイヤハーネスによれば、第１電線と第２電線とのうち少なくとも一方が電力を供給する電線であるので、配索時に該電力を供給する電線と保護部材とが相対的に移動する。
【発明の効果】
【００１３】
以上説明したように請求項１に記載の本発明は、配索時に電線を曲げても、該電線と保護部材とが相対的に移動するので、電線に皺ができたり、固定部材が剥がれて外装品が正規の位置からずれることなくワイヤハーネスを配索することができる。
【００１４】
請求項２に記載の本発明は、固定部材がテープであるので、該固定部材が外装品と保護部材とを確実に固定できる。
【００１５】
請求項３に記載の本発明は、配索時に該電力を供給する電線と保護部材とが相対的に移動するので、該電力を供給する電線に皺ができたり外装品が正規の位置からずれることなくワイヤハーネスを配索することができる。
【発明を実施するための最良の形態】
【００１６】
以下、本発明の一実施形態にかかるワイヤハーネスを、図１乃至図４に基づいて説明する。
【００１７】
本実施形態にかかる図１に示されたワイヤハーネス１は、移動体としての自動車に配索（配線）されて、該自動車に搭載された電子機器に電力を供給する。ワイヤハーネス１は、バッテリやジェネレータなどの電源と、インバータと、コンバータと各種の電子機器などを相互に接続する。
【００１８】
ワイヤハーネス１は、図１に示すように、第１電線２と、第２電線３と、外装品としての配線用クリップ４と、保護部材としてのハーネス用チューブ５と、コルゲートチューブ６と、固定部材としてのテープ７とを備えている。
【００１９】
第１電線２及び第２電線３は、図示例では、一本設けられている。第１電線２及び第２電線３は、図３に示すように、導電性の金属で構成された芯線８と、該芯線８を被覆した絶縁性の合成樹脂で構成された被覆部９とを備えている。第１電線２及び第２電線３は、前述したバッテリやジェネレータなどの電源と、インバータと、コンバータと各種の電子機器などを相互に接続して、前述した電子機器に電力を供給するための電線である。即ち、第１電線２及び第２電線３は、前述した電子機器に信号を供給するための電線よりも十分に太い。また、第１電線２及び第２電線３の端末には、前述した電子機器に接続するための端子金具が取り付けられる。
【００２０】
配線用クリップ４は、図１及び図３に示すように、平板状の取付部１０と、自動車の車体を構成するパネル２０（図３中に二点鎖線で示す）に設けられた孔２１に係止する係止部１１とを一体に備えている。配線用クリップ４は、合成樹脂で構成されている。取付部１０は、帯板状に形成されている。取付部１０は、ワイヤハーネス１の第１電線２と重ねられて、これらの第１電線２とともに外周に図示しないテープが巻かれる。取付部１０は、テープが巻かれることで、ワイヤハーネス１の第１電線２に取り付けられる。なお、このとき、取付部１０の長手方向と取付部１０の表面が、ワイヤハーネス１の第１電線２の長手方向に沿う。
【００２１】
係止部１１は、取付部１０から立設している。係止部１１は、取付部１０から立設した立設片１３と、一対の係止片１４とを一体に備えている。立設片１３は、取付部１０の表面に直交する方向に沿って、取付部１０から延びている。
【００２２】
一対の係止片１４は、一端部１４ａが立設片１３の取付部１０から離れた側の先端部１３ａに連なっている。なお、先端部１３ａは、立設片１３の取付部１０から離れた側の端部をなしている。一対の係止片１４の他端部１４ｂは、互いに間隔をあけているとともに、立設片１３と間隔をあけている。
【００２３】
一対の係止片１４は、一端部１４ａから他端部１４ｂに向かうにしたがって徐々に取付部１０に近づく状態に配されている。一対の係止片１４は、一端部１４ａから他端部１４ｂに向かうにしたがって互いに徐々に離れているとともに、立設片１３から徐々に離れている。一対の係止片１４は、側方からみて山形に形成されている。係止片１４の他端部１４ｂには、切欠き１７が設けられている。切欠き１７は、係止片１４の他端部１４ｂの外縁部を切り欠いている。一対の係止片１４は、他端部１４ｂが互いに近づく方向に弾性変形可能である。
【００２４】
係止部１１は、孔２１内に圧入されると、一旦、他端部１４ｂ同士が互いに近づく方向に係止片１４が弾性変形した後、切欠き１７内にパネル２０の孔２１の内縁が位置すると、係止片１４が弾性変形していない中立状態に復帰する。そして、係止部１１は、切欠き１７内にパネル２０の孔２１の内縁を位置付けて、前述したパネル２０に固定される。
【００２５】
配線用クリップ４は、取付部１０が第１電線２を取り付け、係止部１１がパネル２０の孔２１に係止することで、第１電線２即ちワイヤハーネス１を自動車の車体を構成するパネル２０に取り付ける。
【００２６】
ハーネス用チューブ５は、絶縁性の合成樹脂で構成され、かつ円筒状に形成されている。ハーネス用チューブ５は、凸部と凹部とが長手方向に交互に設けられて、蛇腹状に形成されている。このため、ハーネス用チューブ５は、弾性変形自在となっている。ハーネス用チューブ５は、内側に第２電線３を通して、即ち該第２電線３に外装されて、該第２電線３を保護する。ハーネス用チューブ５の内径は、第２電線３の外径よりも大きい。即ち、ハーネス用チューブ５と第２電線３とは、互いに長手方向に沿って、互いに移動自在となっている。
【００２７】
コルゲートチューブ６は、絶縁性の合成樹脂で構成され、かつ断面小判型（長円形又は楕円形）の筒状に形成されている。コルゲートチューブ６は、凸部と凹部とが長手方向に交互に設けられて、蛇腹状に形成されている。このため、コルゲートチューブ６は、弾性変形自在となっている。コルゲートチューブ６は、内側に第１電線２と第２電線３との双方を通して、即ち該第１電線２と第２電線３との双方に外装されて、該第１電線２と第２電線３との双方を保護する。
【００２８】
テープ７は、配線用クリップ４の取付部１０と、第１電線２と、ハーネス用チューブ５の外周に巻き付けられて、これらを互いに固定している。テープ７は、第２電線３の外周には直接巻き付けられていない。即ち、テープ７は、第２電線３と、配線クリップ４の取付部１０と、第１電線２と、ハーネス用チューブ５とを互いに固定していない。
【００２９】
本実施形態によれば、テープ７が配線用クリップ４とハーネス用チューブ５とを固定している即ちテープ７が第２電線３の外周には直接巻き付けられていないので、第２電線３とハーネス用チューブ５とがは互いに長手方向に沿って移動自在となっている。このため、図２に示すように電線２，３を直線状に配索しても、図４に示すように電線２，３を約１８０度曲げて配索しても、特に第２電線３に皺が生じようとすると、第２電線３とハーネス用チューブ５とが長手方向に沿って移動する。
【００３０】
即ち、図２に示すように直線状に位置付けられた電線２，３を、図４に示すように配索時に曲げても、該第２電線３とハーネス用チューブ５とが相対的に移動する。したがって、配索時に電線２，３を曲げても、該電線２，３とハーネス用チューブ５とが相対的に移動するので、電線２，３に皺ができたり、テープ７が配線用クリップ４から剥がれて配線用クリップ４が正規の位置からずれることなくワイヤハーネス１を配索することができる。
【００３１】
固定部材としてのテープ７を用いているので、該テープ７が配線用クリップ４とハーネス用チューブ５とを確実に固定できる。
【００３２】
また、第１電線２と第２電線３が電力を供給する電線であるので、配索時に該電力を供給する電線２，３とハーネス用チューブ５とが相対的に移動する。このため、電極を供給する比較的太い電線２，３に皺が生じることなく、該電線２，３を配索することができる。
【００３３】
前述した第１電線２と第２電線３とをそれぞれ一本ずつ設けている。しかしながら、本発明では、第１電線２と第２電線３とをそれぞれ複数設けても良い。要するに、本発明では、第１電線２と第２電線３とをそれぞれ少なくとも一本ずつ設ければ良い。
【００３４】
また、前述した実施形態では、外装品としての配線用クリップ４を設けている。しかしながら、本発明では、外装品として周知のハーネス用プロテクタやハーネス用チューブなどの配線用クリップ４以外の種々の外装品を設けても良い。
【００３５】
さらに、前述した実施形態では、固定部材としてのテープ７を設けている。しかしながら、本発明では、固定部材として周知のバンドなどのテープ７以外の種々の物品を設けても良い。また、保護部材は、筒状に形成されていれば、円筒状でなくてもよい。
【００３６】
また、前述した実施形態では、第１電線２と第２電線３との双方が電力を供給する電線である。しかしながら、本発明では、第１電線２と第２電線３とのうち少なくとも一方が電力を供給する電線であるのが望ましい。即ち、本発明では、第１電線２と第２電線３とが電力を供給する電線でなくても良い。
【００３７】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００３８】
【図１】本発明の一実施形態に係るワイヤハーネスの斜視図である。
【図２】図１に示されたワイヤハーネスの電線が直線状をなした状態の平面図である。
【図３】図１中のＩＩＩ−ＩＩＩ線に沿う断面図である。
【図４】図１に示されたワイヤハーネスの電線が１８０度曲げられた状態の平面図である。
【符号の説明】
【００３９】
１  ワイヤハーネス
２  第１電線
３  第２電線
４  配線用クリップ（外装品）
５  ハーネス用チューブ（保護部材）
７  テープ（固定部材）
【図１】
2007259654.tif 000003
【図２】
2007259654.tif 000004
【図３】
2007259654.tif 000005
【図４】
2007259654.tif 000006